(57)【要約】      （修正有）【課題】明るい状態と暗い状態とで人に見える図柄が異なる表示体を提供する。【解決手段】表示体は、前面（表面）に主図柄３が施されたメインシート１と、メインシート１の裏面に重ねて配置されたサブシート２とを備えている。メインシート１には透光手段として多数の小穴４が整列して空けられている。サブシート２には、蓄光層からなる副図柄が施されている。明るい状態では副図柄６は潜在化して主図柄３のみが見える。他方、暗くなると主図柄３は見えなくなって副図柄６が顕在化し、副図柄６が小穴４の群から成る集合体として表れる。【選択図】図１
2008170520.tif 000002
【特許請求の範囲】
【請求項１】
表面に主図柄が施されたメインシートを備えており、前記メインシートの裏面側に、蓄光層を使用して形成された副図柄を有する副表示部が重ねて又は密接して配置されており、更に、前記メインシートのうち少なくとも前記蓄光層と重なる部分に小穴群を設けており、
明るい環境下では副図柄は人に視認されずにメインシートの主図柄のみが人に視認され、暗くなると主図柄は人に視認されずに小穴群を介して副図柄が視認されるようになっている、
シート状表示体。
【請求項２】
前記メインシートの表面には前記主図柄が印刷されており、このメインシートの全体又は大部分に整列した状態で多数の小穴群が形成されている一方、前記副表示部は、メインシートと略同じ大きさのサブシートを備えており、このサブシートの前面に蓄光層によって副図柄が施されている、
請求項１に記載したシート状表示体。
【請求項３】
表面に主図柄を施したメインシートに小穴群からなる副図柄が形成されており、前記メインシートの裏面側に、少なくとも前記小穴群を裏側から覆う状態で蓄光層が設けられており、
明るい環境下では副図柄は人に視認されずにメインシートの主図柄のみが人に視認され、暗くなると主図柄は人に視認されずに小穴群を介して副図柄が視認されるようになっている、
シート状表示体。
【発明の詳細な説明】
【技術分野】
【０００１】
本願発明は、明るい環境下と暗い環境下とで人が視認できる図柄が異なるシート状等の表示体に関するものである。
【０００２】
ここに図柄とは、例えば、各種風景、各種の絵、人物像、動物像、標語や案内や商標等の文字、標識、図形、模様、記号、等の単一物や複合物が挙げられる。極論すると、本願発明の図柄は、人に何らかの形として視認せしめるもの全て（つまり、無地を除いたもの全て）を含んでいる。また、表示体の例としては、広告・宣伝用や案内用や啓蒙用等の各種ポスター類、店舗等の看板、ステッカー類、ラベル類、などが挙げられる。
【背景技術】
【０００３】
多種多様のポスター類が様々な場所で広告用や案内用、或いは啓蒙用等の様々な用途に使用されている。また、屋外・屋内を問わず多種多様な看板類が使用されている。これらのポスター類や看板類は、人に視認せしめんとする図柄が印刷等によって施されている。また、人の注意を惹くために、ライトで表面側又は裏面側から照らすことも行われている。
【０００４】
他方、装飾の一種として、例えば特許文献１に記載されているように、小穴群で図柄を形成することも行われている。また、特許文献２には、模様類を表す小穴群が空けられた表面板と模様類が描かれた平紙とを重ね合わせて、小穴群と群を介して印刷等の図柄を視認させることで立体感を持たせた装飾品が開示されている。
【０００５】
更に特許文献３には、例えばパンチングボードのように多数の小穴が縦横に整列して空けられた穴空き板をサインボードに利用する方法として、小穴群に自発光体を嵌め込むことで図柄を構成することが開示されている。すなわち、特許文献３のものは、一つの小穴を単位としたドット表示によって図柄を形成するものであり、図柄の表示原理は多数のＬＥＤランプで構成された電光掲示板と同じであると言える。また、蓄光剤や自発光剤を使用した表示体も公知であり、これは暗くなっても人が視認できる点で特許文献３と共通している。
【特許文献１】実開平７−４７７１号公報
【特許文献２】実用新案登録第３０８６９６９号公報
【特許文献３】特開２００４−１５０１５９号公報
【発明の開示】
【発明が解決しようとする課題】
【０００６】
ポスターにしても看板にしても、従来の表示体は一般に一つの図柄が施されているに過ぎない。また、特許文献３を除いて、通常の表示体は日没や消灯によって周囲が暗くなると人には見えなくなっている。すなわち、通常の表示体は、暗くなるとその表示機能は無くなっている。特許文献３のものは暗くても図柄を人が視認できるが、その図柄は明るい環境下で見えるものと同じである。
【０００７】
他方、特に暗い環境下で人に見られることに意義を持つ図柄がある。例えば、屋外・屋内における避難誘導路の表示、地震や津波のような災害に際しての緊急避難所への道順を示す表示、屋外設備（例えば駐車場）における停電時の連絡先、商店や飲食店において閉店して看板の照明を消した後に表示したい案内や広告、等である。これらは周囲環境が明るい状態から暗い状態に移行することによって特に必要性が高くなるものであり、明るい環境下ではさほどの必要性はないものであると言える。
【０００８】
しかして、従来の表示体は、明るい環境でしか人が視認できないものと、明るい環境でも暗い環境でも視認できるもの、の２つに分類できると言えるが、従来の表示体はその種類を問わず一つの図柄を表示するに過ぎず、従って、明るい環境下で人に見せたい図柄と、暗くなることによって人に見せたい図柄とが相違する場合は、別々の表示体を容易せねばならなかった。このため、表示のためのスペースが嵩む問題や、屋外用避難誘導表示のように社会的な必要性は高いにも拘わらず設置場所確保が困難であるとして設置が遅れてしまうといった問題があった。
【０００９】
本願発明は、このような現状を改善すべく成されたものである。
【課題を解決するための手段】
【００１０】
本願発明者たちは、先ず、一つの表示体に明るい環境下と暗い環境とで異なる図柄を表示できれば上記の問題を解消できると着想し、次いで、前記着想を実現するための原理として、ポスター等の表示体に小穴群が空いていても人間の目は小穴群を捨象した状態で図柄を把握する性質を持っている点、及び、蓄光剤は明るい環境下では目立たずに一種の地色としての性質を有する点、の２点に想い至り、更に具体化のための研究と試作・実験を重ね、そして本願発明を完成させるに至った。
【００１１】
すなわち本願発明は、小穴群と蓄光層とを利用して一つの表示体に明るい環境下と暗い環境下とで異なる図柄類を現わすものであり、主たる構成は請求項１の構成と請求項３の構成とに分けられる。
【００１２】
このうち請求項１の発明は、表面に主図柄が施されたメインシートを備えており、前記メインシートの裏面側に、蓄光層を使用して形成された副図柄を有する副表示部が重ねて又は密接して配置されており、更に、前記メインシートのうち少なくとも前記蓄光層と重なる部分に小穴群を設けており、このため、明るい環境下では副図柄は人に視認されずにメインシートの主図柄のみが人に視認され、暗くなると主図柄は人に視認されずに小穴群を介して副図柄が視認されるようになっている。なお、ここにいう「重ねて配置」には、単に重ね合わせた状態と粘着又は接着によって一体化した状態との両方を含んでいる。
【００１３】
請求項１の発明は様々に展開できる。その一例として請求項２の発明では、前記メインシートの表面には前記主図柄が印刷されており、このメインシートの全体又は大部分に整列した状態で多数の小穴群が形成されている一方、前記副表示部は、メインシートと略同じ大きさのサブシートを備えており、このサブシートの前面に蓄光層によって副図柄が施されている。
【００１４】
請求項３の発明は、表面に主図柄を施したメインシートに小穴群からなる副図柄が形成されており、前記メインシートの裏面側に、少なくとも前記小穴群を裏側から覆う状態で蓄光層が設けられており、このため、明るい環境下では副図柄は人に視認されずにメインシートの主図柄のみが人に視認され、暗くなると主図柄は人に視認されずに小穴群を介して副図柄が視認されるようになっている。この請求項２においても、蓄光層はメインシートと分離した状態と接着剤や粘着剤によって一体化した状態との両方を含んでいる。また、請求項３も、請求項２と同様のサブシートを含んでいるものと含んでないものとの両方を含でいる。
【００１５】
また、本願各発明における「小穴」は人が見て殆ど気付かないか又は違和感を感じないほどの大きさを意味しており、実際の寸法によって規定されるものではない。すなわち、小穴の「小」とは表示体と人との距離によって相違する相対的な概念であり、例えば人が１ｍ以内から見るというような表示体の場合は径は一般に１ｍｍ程度かそれ以下、若しくは大きくても２〜３数ｍｍ程度であろうし、逆に人が数ｍや数十ｍの遠くから見る大型の表示体の場合は径は数ｃｍかそれ以上になることも有り得る（但し、人が遠くから見るからといって常に小穴の径が大きいという訳ではない。）。敢えて言えば、小穴とは、表示体の全体の大きさ（面積）に対して面積が極めて小さい穴と定義できる。
【００１６】
本願発明において小穴は多数存在していることが条件になるだけであり、小穴の形状や配列、ピッチ（密度）などには限定はなくて任意に設定できる。また、請求項１，２の場合、蓄光層によって副図柄を表す方法には特に限定はなく、結果として副図柄が表現されておれば良い。例えば、図柄の形状を蓄光層で形成する方法（例えると、蓄光層で図柄を描いた状態）や、表示したい形状を囲うような状態で蓄光層を設ける方法（蓄光層を一種の白抜き状態に設ける方法）など、様々な方法がある。これらの例の幾つかは実施形態で説明されている。
【発明の効果】
【００１７】
本願各発明では、蓄光層は小穴群を介してメインシートの表面側に露出しているが、小穴群はその名のとおり小径であるため、明るい環境下で人の目が蓄光層を把握することはない。また、明るい環境下において人の目は多数の小穴群は捨象してしまう性質があるため、明るい環境下ではメインシートの主図柄のみが表示体の図柄として認識される。また、蓄光層は裏面に光が当たらなくても小穴群からの透過した光を吸収するため蓄光機能には支障は無い。
【００１８】
そして、表示体の周囲が暗くなると、メインシートの主図柄は殆ど見えなくなる一方、蓄光層の発光による光が小穴群からメインシートの外側に照射されることになり、小穴群によって副図柄が表現される。すなわち、一つの小穴が一つの表示素子を構成する状態で小穴群からなる副図柄が現わされ、これが人に視認される。
【００１９】
つまり、本願発明の表示体においては、明るさに関係なく主図柄と副図柄とが併存しているのであるが、周囲の明るさの違いによって人に視認せしめる図柄が切り替わり、明るい状態では主図柄が顕在化して暗い状態では副図柄が顕在化するのであり、このため、１種類の表示体でありながら周囲の明るさの違いに応じて２つの図柄を表示できるのである。従って、例えば、主図柄は広告性や装飾性の高いをものを採用して、副図柄には緊急性・公共性の高い図柄を採用する、というように機能が異なる図柄を一つの表示体に施すことができるのであり、このため、表示体の価値を格段に向上できる。また、表示体は１種類で足りるため当然のことながらスペースを有効利用できる。
【００２０】
請求項１，２の発明と請求項３の発明とにさほどの優劣はないと言えるが、メインシートに設けた多数の小穴群を人の目が捨象するのは小穴群を一種の地模様として処理するためと解され、従って、メインシートの全体又は大部分に小穴群が設けられている請求項２のものが違和感はなくと好適であると言える。
【００２１】
副表示部を形成する手段としては、例えばメインシートの裏面に蓄光塗料や蓄光インキ（以下、両者を総称して「蓄光塗料類」という）で副図柄を描くと言ったことも可能であるが、この場合は、蓄光塗料類は紙類に浸透する性質があるためメインシートの素材が限定される問題や、塗布に際して蓄光塗料類が小穴群からメインシートの表面側に漏れ出る虞があるといった問題、或いは、メインシートを交換・廃棄すると蓄光層も一緒に廃棄されるため無駄が生じるといった問題が懸念される。
【００２２】
これに対して請求項２のように副表示部をサブシートが備えられた構成にすると、副表示部はメインシートとは別体のものに製造されるためメインシートがどのような素材であっても適用できる利点、蓄光塗料類の漏洩の問題は全くない利点、メインシートとサブシートとは重ねておくか剥離可能な粘着剤（透明なものが好ましい）で粘着しておくことで容易に剥離できるためメインシートのみを交換・廃棄できて経済的であるといった利点がある。
【発明を実施するための最良の形態】
【００２３】
次に、本願発明の実施形態を図面に基づいて説明する。図１〜図４では第１実施形態を示し、図５では用途の一例を示し、図６では第２実施形態を示し、図７では第３実施形態を示し、図８では第４実施形態を示し、図９では第５実施形態を示している。以下、順次説明する。
【００２４】
(1).第１実施形態の概要及びメインシート
第１実施形態は請求項１，２の具体例であり、図１のうち（Ａ）は表示体の正面図、（Ｂ）は分離正面図である。この図１から理解できるように、表示体はその表面側を構成するメインシート１と、メインシート１の裏側に重ねて配置されたサブシート２とを備えている。
【００２５】
本実施形態のメインシート１は基本的には通常の四角形のポスター（或いは印刷物）と同じであり、紙又はその類似物からなっていて表面には主図柄３が印刷されている。そして、メインシート１には、その全体にわたって小穴４の群が縦横に整列して細かいピッチで空けられている。
【００２６】
図１（Ａ）ではメインシート１の一つのコーナー部を少しめくり返した状態に表示しており、このめくり返した部分に描かれているように、メインシート１の裏面１ａには黒のような濃い暗色が全面にわたって塗られている（メインシート１を主図柄３が描かれた表シートと黒等の濃い暗色のシートからなる積層体として、これに小穴４の群を形成することも可能である。）。なお、小穴４が空けられた用紙に主図柄３を印刷することも可能であるが、通常は、印刷されたメインシート１にパッチングマシンで空けられる。
【００２７】
図２では小穴４の態様を拡大して表示している。（Ａ）に示す例では、小穴４は縦横に同じピッチで整列して空けられており、（Ｂ）に示す例では、小穴４の群は斜め方向に直交した斜め格子の交点箇所に空けられている。但し、縦横の整列と斜め方向の整列とは見方の相違に過ぎず、両者とも、縦横に整列していると共に斜め方向にも整列している。相違点は、縦横のピッチと斜め方向のピッチが違いだけである。また、（Ａ）では周囲に小穴４が空けられていない余白部１ｂが存在しており、（Ｂ）では余白部は存在していない。これらは任意に設定できる。
【００２８】
小穴４は、人が見て違和感を感じない（小穴４の存在を不自然に思わない）程度の内径に設定する。既述のとおり、内径の実寸は表示体とこれを見る人との距離によって規定されする。小穴４のピッチも任意に設定できるが、通常は、隣り合った小穴４の間隔（縦横、斜め方向）は小穴４の内径とほぼ同じかそれよりもやや大きい程度が好適であると言える。メインシート１の素材は、紙、樹脂フィルム、不織布等の単体又は積層体など、用途に応じて任意に選択できる。
【００２９】
(2).副表示部
図３のうち（Ａ）はサブシート２の正面図、（Ｂ）はサブシート２をメインシート１に密着させた状態での（Ａ）のＢ−Ｂ視断面図である。サブシート２は透明のように透光性のある樹脂シート（或いは樹脂フィルム）であり、メインシート１と同じ大きさに設定している（勿論、メインシート１と大きさを異ならせることも可能である。）。
【００３０】
そしてサブシート２の裏面に、蓄光塗料類によって副図柄６が施されている。サブシート２と蓄光層５とによって請求項に記載した副表示部が構成されている。蓄光層５の部分は斜め格子状の網かけ表示で表している。サブシート２の前面又は裏面には、蓄光層５と同じ色（明るい環境下で見える色）色の地色が全体に又は蓄光層５の箇所を除いて塗られている。図３（Ｂ）に矢印で示すように、蓄光層５には小穴４を介してメインシート１の表側に光がで出入りする。
【００３１】
本実施形態では、副図柄６は緊急時や災害発生時等において人の避難路を示す誘導用表示になっており、人の姿態７を蓄光層５で囲った一種の白抜き表示と成している。蓄光層５の材料である蓄光塗料類は蓄光剤を溶剤（メジューム）に混練してなるものであり、スクリーン印刷等の印刷や型紙を使用した吹き付けなど、任意の方法で施される。インクジェット方式の印刷方法を採用することも可能である。なお、蓄光剤には自発光性のもの（いわゆる夜光塗料）も含まれる。
【００３２】
また、蓄光剤が含まれた蓄光シートを打ち抜いたり切り抜いたりしたものを貼り付けるといったことも可能である。蓄光層５をサブシート２の裏面に設けているのは、蓄光層５はかなりの厚さ（例えば０．２〜１．０ｍｍ）があることから、メインシート１に段差が生じることを防止するためである（見栄えにおいて問題がなければ、蓄光層５をサブシート２の前面に設けても良い。）。メインシート１とサブシート２とは単に重ね合わせておくだけでも良いし、粘着剤又は接着剤で貼り合わせておくことも可能である。
【００３３】
本実施形態では、透明な感圧性粘着剤８で貼り合わせており、従って、小穴４を介しての光の透過性には支障はなく、また、メインシート１とサブシート２とは簡単に剥がすことができる。例えばメインシート１とサブシート２とをコーナー部のみにおいて両面テープで接合すると言ったことも可能である。
【００３４】
(3).まとめ
以上の構成において、メインシート１の小穴４の群のうち一部はサブシート２の蓄光層５と重なっており、このため、表示体には、潜在的には、メインシート１に印刷された主図柄３と、蓄光層５と重なった小穴４の群によって表示された副図柄６とが併存している。
【００３５】
そして、昼間の戸外や照明がついている屋内のように明るい環境下では、蓄光層５が光ることはないため副図柄６が人に認識されることはなく、主図柄３のみが顕在化して人の目には主図柄３しか見えない。
【００３６】
他方、表示体の周囲が暗くなると、メインシート１の主図柄３は見えなくなって、図４に示すように、蓄光層５と重なった部分の小穴４の群から光が出ることにより、多数の光の点によって表示された副図柄６が表れる。すなわち、明るい環境下では主図柄３のみが顕在化し、暗くなると副図柄６のみが潜在化するのであり、これにより、一つの表示体に明るい状態と暗い状態とで異なる図柄が表れる。
【００３７】
本実施形態のようにメインシート１の裏面に黒い色をベタ塗りすると、暗い環境下で蓄光層５の光がメインシート１を僅かながら透過することを阻止できるため、副図柄６は周囲との明暗差を際立たせてクッキリと表示される利点がある。理論的には、メインシート１の裏面を黒塗りするような透光性遮断手段は副図柄６と重なる部分のみに行えば足りるが、メインシート１の裏面全体を黒等にベタ塗りするのが経済的である。
【００３８】
ところで、バックシート２の地色が透明であったり白色であったりというように蓄光層５と異なる色であると、小穴４の群から見えるバックシート２の色と蓄光層５とのコントラストが際立つことにより、明るい環境下でも僅かながら副図柄６が外側から見えることが有り、ユーザーによっては、このように副図柄６が明るい環境下で見えることを好まない場合がある。この点、本実施形態のようにバックシート２の少なくとも前面を蓄光層５と同じ色にすると、バックシート２の全体が同一色になる（すなわち、蓄光層５がバックシート２の色に同化する）ため、明るい環境下で副図柄６がボンヤリと浮き上がる現象を防止できる利点がある。
【００３９】
蓄光塗料類と同じ色の紙又はフィルムに蓄光層５を形成したり、バックシート２を透明フィルム製としてその裏面に蓄光層５と同じ色の紙を張ったりしても同じ効果を得ることができる。
【００４０】
逆に、バックシート２の色を蓄光層５とは異なる色にして、明るい環境下で副図柄６を一種の透かしのような状態に積極的に浮かび上がらせることにより、主図柄３と副図柄６とが融合した重層図柄を実現することも可能であり、これにより、人へのアピール効果や装飾性の高い表示体となすことも可能である。要は、バックシート２の色はユーザーの要望に応じて選択したら良い。なお、バックシート２の裏側にバックライトを配置することも可能である。
【００４１】
(4).用途例
本願発明に係る表示体はどこにでも使用できるが、図５で使用先の一例としての自動販売機９を示している。すなわちこの自動販売機９は飲み物や煙草用のものであり、その前面部に、商品展示部１０とコイン（紙幣）投入部１１と広告窓部１２と商品取り出し部１３とを設けている。そして、広告用窓部１２の前面は透明なアクリル樹脂板で構成されており、その内部に広告用ポスターが配置されているが、本実施形態の表示体を広告用ポスターに代替することができる。
【００４２】
自動販売機９は各種のものが道路沿いに多数設置されているが、商品を販売するという性質からして人目に触れる場所に設置されているため、自動販売機９の広告用ポスターを本実施形態の構成として避難誘導のような公共的な副図柄６を表示することにより、例えば停電をもたらす程の地震が発生した後、自動販売機９の群によって人々を緊急避難場所に誘導するといったことが可能になる。
【００４３】
また、省エネルギーや景観保護等のために自動販売機９の深夜に照明を消すこともあるが、この場合も広告用窓部１２に避難経路を表示することが可能になるため、通りがかった人が消灯後の自動販売機９に接することにより、緊急時の避難経路を予め人に教え込む教育効果が発揮されるため（暗い中で光って表示されるため人に与えるインパクトが強い）、災害発生時の避難をスムース化することにも貢献できると言える。
【００４４】
副図柄６を避難誘導用のものとする場合、その内容は必要に応じて任意に選択できる。例えば、「緊急避難先○○小学校」のような文字を採用することも可能である。避難誘導用表示以外の公共的表示としては、例えば、地名・番地の表示や公共施設への道順表示などが挙げられる。
【００４５】
もとより、本願発明に係る表示体の表示はユーザーが自由に選択できるのであり、従って、主図柄３及び副図柄６とも私的なものも採用できる。例えば、飲食店等の看板に適用して、主図柄３として店舗名や表示、副図柄６として図形商標を表示するといったこと、或いは、主図柄３として商標や店舗名を表示し、副図柄６には「本日は閉店しました。明日は１０時から開店します。」といったアナウンス的な表示を施すといったことも可能である。更に、副図柄６に私的なものと公共的なものとをエリア分けてして併設することも可能である。
【００４６】
(5).第２〜第３実施形態
図６に示す第２実施形態では、請求項１，２の具体例として、副図柄６の形成手段として元々表示したい図柄を蓄光層５で構成している（すなわち、一種の黒抜き表示と成している。）。
【００４７】
また、図７に示す第３実施形態では、請求項１，２の具体例として、サブシート２の前面又は裏面の全体又は略全体に蓄光層５をベタ塗りして、不透光性のマスクシート１５で不必要な部分を覆うことで副図柄６としての矢印を表示している。
【００４８】
実線の網かけ表示及び点線の網かけ表示とも蓄光層５を示しているが、この場合の副図柄６の表示方法としては、矢印の部分がくり抜かれた不透明シートをサブシート２の前面に張ることで矢印の部分を光らせる方法と、不透明シートで形成した矢印をサブシート２に貼って白抜き表示することとの２つの方法とのいずれば採用できる。この第３実施形態の場合は、サブシート２、蓄光層５、サブシート２、マスクシート１５の三者で副表示部が構成されている。第３実施形態では、紙製等のマスクシートを変えるだけで副図柄６を変更できる利点がある。
【００４９】
(6).第４実施形態
図８に示す第４実施形態は請求項３を具体化したものである。この実施形態では、メインシート１に小穴４から成る副図柄６を形成しており、また、副表示部はサブシート２を備えている。サブシート２には蓄光層（図示せず）を設けているが、この場合の蓄光層は、サブシート２の前面又は裏面の全体に塗布しても良いし、副図柄６に相当する部分だけに部分的に設けても良い。
【００５０】
(7).第５実施形態
図９に示す第５実施形態は、請求項１，２の具体例の一つである。この実施形態では、メインシート１は透明な樹脂フィルムから成る表面シート１′と、その裏面に重ねた非透光性の裏面シート１″との積層構造になっており、裏面シート１″の全体にわたって小穴４の群が空けられている。そして、図では表示していないが、サブシート２には第１実施形態と同様に蓄光層５によって副図柄を施している。
【００５１】
本実施形態では、表面シート１′は透明であるため主図柄３が印刷等によって施されていても光は小穴４に透過することが可能であり、このため、暗くなると副図柄が表れる。この実施形態から容易に理解できるように、メインシート１の小穴４は光が表示体の前面側と蓄光層との間に透過し得る状態になっておれば足りる。
【００５２】
従って、物理的にメインシート１の表裏に貫通している必要はなく、例えば、裏面シート１″として透明なフィルムを使用し、この透明フィルムに、透光用小穴４の群を除いて黒インク等の不透光層を塗工するといったことも可能である。すなわち、本願発明の小穴（透光小穴）４は、表示体の全体に比べて面積が極めて小さい（例えば数百分の１以下の）光透過手段と定義できる。
【００５３】
(8).その他
本願発明は上記の実施形態の他にも様々に具体化できる。例えば小穴の形状は円形には限らず、三角や四角等の角形、或い星型などを用途や見栄えに応じて任意に選択できる。表示体の形状にも限定はない。また、蓄光剤には緑色の系統と青色の系統とがあるが、両者を組み合わせることで副図柄に色使いの変化を持たせることも可能である。
【００５４】
副表示部を蓄光層のみで構成することも可能である。すなわち、メインシートの裏面に蓄光層のみで副図柄を設けるのであり、例えば、メインシートの裏面に蓄光塗料類で副図柄を描くことや、蓄光性シートを打ち抜いたりくり抜いたりして作った副図柄用シートをメインシートの裏面に貼り付けるといったことである。いうまでもないが、表示体は建物等の壁や窓ガラス等に貼り付けることも可能である。
【００５５】
一つの表示体において、小穴群を異なる形状や異なる大きさのもので構成することも可能である。また、副図柄を表示するための小穴群は必ずしも主図柄に重ねる必要はないのであり、例えば、一つの表示体において主図柄と副図柄とのエリアを異ならせて、副図柄の箇所に小穴群を設けることも可能である。
【図面の簡単な説明】
【００５６】
【図１】（Ａ）の表示体の正面図、（Ｂ）は分離正面図である。
【図２】メインシートにおける小穴の配置例を示す部分正面図である。
【図３】サブシートの正面図である。
【図４】副図柄が表れた状態の正面図である。
【図５】用途の一例である自動販売機の概略斜視図である。
【図６】第２実施形態を示す図である。
【図７】第３実施形態を示す図である。
【図８】第４実施形態を示す図である。
【図９】第５実施形態を示す図である。
【符号の説明】
【００５７】
１  メインシート
２  副表示部を構成するサブシート
３  主図柄
４  小穴
５  副表示部を構成する蓄光層
６  副図柄
１５  マスクシート
【図１】
2008170520.tif 000003
【図２】
2008170520.tif 000004
【図３】
2008170520.tif 000005
【図４】
2008170520.tif 000006
【図５】
2008170520.tif 000007
【図６】
2008170520.tif 000008
【図７】
2008170520.tif 000009
【図８】
2008170520.tif 000010
【図９】
2008170520.tif 000011